(57)【特許請求の範囲】
【請求項１】
一のモジュール型装置の基板と、他のモジュール型装置の基板とにそれぞれ取り付けられ、前記一のモジュール型装置と、前記他のモジュール型装置が嵌合される際に、前記一のモジュール型装置の基板と、前記他のモジュール型の装置の基板との間で電気的な接続を確保するコネクタであって、
複数の第１溝、前記第１溝の長手方向と同一方向に形成される複数の第２溝、前記第１溝の端部側で隣接する他の第１のコネクタと当接する第１当接面、及び前記第２溝の端部側で隣接する他の第２のコネクタと当接する第２当接面を有する筐体と、
前記第１溝に収容され、一端と他端の間で折り曲げられ、前記一端側に前記筐体の前記第１当接面から突出する突出部を有し、前記他端が前記基板の配線に接続され、前記突出部が前記第１当接面の方向に押圧されると撓む板ばねで構成される第１端子と、
前記第２溝に収容され、一端が前記筐体の前記第２当接面よりも前記第２溝の内部にオフセットした位置に配設され、他端が前記基板の配線に接続される第２端子と
を含む、コネクタ。
【請求項２】
前記第１端子の前記突出部が前記第１当接面から突出する突出量は、前記第２端子の前記一端が前記第２当接面よりも前記第２溝の内部にオフセットするオフセット量よりも大きい、請求項１記載のコネクタ。
【請求項３】
前記突出量は、前記第１端子を構成する前記板ばねが撓んだ状態においても、前記オフセット量よりも大きい、請求項２記載のコネクタ。
【請求項４】
前記第１端子の前記他端と、前記第２端子の前記他端は、前記基板の互いに異なる面側に接続される、請求項１乃至３のいずれか一項に記載のコネクタ。
【請求項５】
前記第１端子の前記他端と、前記第２端子の前記他端は、前記基板の同一面側に接続される、請求項１乃至４のいずれか一項に記載のコネクタ。
【請求項６】
前記筐体は、前記基板を内部に案内することによって前記基板を保持する案内溝を有する、請求項１乃至５のいずれか一項に記載のコネクタ。
【請求項７】
前記筐体は、前記案内溝の内部に案内された前記基板を厚さ方向に押圧することによって固定する固定用部材を有する、請求項６に記載のコネクタ。
【請求項８】
請求項１乃至７のいずれか一項に記載のコネクタの前記筐体の第１当接面側又は第２当接面側に配設されるコネクタアダプタであって、
複数の溝、前記溝の一方の端部側で隣接する前記コネクタと当接する一方側当接面、及び前記溝の他方の端部側で隣接する前記コネクタと当接する他方側当接面を有する筐体と、
前記溝に収容され、前記筐体の前記一方側当接面の側、又は前記他方側当接面の側において、前記コネクタの前記第１端子又は前記第２端子の端部と接触する端子と
を含む、コネクタアダプタ。
【発明の詳細な説明】
【技術分野】
【０００１】
本発明は、コネクタ及びコネクタアダプタに関する。
【背景技術】
【０００２】
従来より、複数のモジュール型装置の各々に実装され、互い電気的に接続されるコネクタがある（例えば、特許文献１参照）。
【先行技術文献】
【特許文献】
【０００３】
【特許文献１】特開２００６−３３０８０５号公報
【発明の概要】
【発明が解決しようとする課題】
【０００４】
ところで、従来のコネクタは、ソケットを介して相隣接するコネクタ同士の間の電気的接続を確保していたため、基板に対してコネクタを接続する方向と、コネクタ同士を接続する方向が異なっているため、取り付けが容易ではなかった。特に、基板に対してコネクタを接続する方向と、コネクタ同士を接続する方向が約９０°異なる場合は、特に、取り付けが容易ではなかった。
【０００５】
そこで、本発明は、基板への取り付けと、コネクタ同士の接続とを容易化したコネクタ及びコネクタアダプタを提供することを目的とする。
【課題を解決するための手段】
【０００６】
本発明の実施の形態の一観点のコネクタは、一のモジュール型装置の基板と、他のモジュール型装置の基板とにそれぞれ取り付けられ、前記一のモジュール型装置と、前記他のモジュール型装置が嵌合される際に、前記一のモジュール型装置の基板と、前記他のモジュール型の装置の基板との間で電気的な接続を確保するコネクタであって、複数の第１溝、前記第１溝の長手方向と同一方向に形成される複数の第２溝、前記第１溝の端部側で隣接する他の第１のコネクタと当接する第１当接面、及び前記第２溝の端部側で隣接する他の第２のコネクタと当接する第２当接面を有する筐体と、前記第１溝に収容され、一端と他端の間で折り曲げられ、前記一端側に前記筐体の前記第１当接面から突出する突出部を有し、前記他端が前記基板の配線に接続され、前記突出部が前記第１当接面の方向に押圧されると撓む板ばねで構成される第１端子と、前記第２溝に収容され、一端が前記筐体の前記第２当接面よりも前記第２溝の内部にオフセットした位置に配設され、他端が前記基板の配線に接続される第２端子とを含む。
【０００７】
また、前記第１端子の前記他端と、前記第２端子の前記他端は、前記基板の互いに異なる面側に接続されてもよい。
【０００８】
また、前記第１端子の前記他端と、前記第２端子の前記他端は、前記基板の同一面側に接続されてもよい。
【０００９】
また、前記筐体は、前記基板を内部に案内することによって前記基板を保持する案内溝を有していてもよい。
【００１０】
また、前記筐体は、前記案内溝の内部に案内された前記基板を厚さ方向に押圧することによって固定する固定用部材を有していてもよい。
【００１１】
本発明の実施の形態の一観点のコネクタアダプタは、前記いずれか一項に記載のコネクタの前記筐体の第１当接面側又は第２当接面側に配設されるコネクタアダプタであって、複数の溝、前記溝の一方の端部側で隣接する前記コネクタと当接する一方側当接面、及び前記溝の他方の端部側で隣接する前記コネクタと当接する他方側当接面を有する筐体と、前記溝に収容され、前記筐体の前記一方側当接面の側、又は前記他方側当接面の側において、前記コネクタの前記第１端子又は前記第２端子の端部と接触する端子とを含む。
【発明の効果】
【００１２】
本発明は、基板への取り付けと、コネクタ同士の接続とを容易化したコネクタ及びコネクタアダプタを提供できる。
【図面の簡単な説明】
【００１３】
【図１】実施の形態１のコネクタを示す図である。
【図２】（Ａ）は、コネクタ１００の一部を拡大して示す上面側の斜視図であり、（Ｂ）はコネクタ１００の一部を拡大して示す底面側の斜視図であり、（Ｃ）は第１端子１２０及び第２端子１３０を拡大して示す側面図である。
【図３】コネクタ１００の実装状態を示す図である。
【図４】コネクタ１００を含むモジュール型装置１６０の実装方法を説明するための図である。
【図５】（Ａ）は、コネクタ２００の一部を拡大して示す上面側の斜視図であり、（Ｂ）は第１端子１２０及び第２端子２３０を拡大して示す側面図である。
【図６】実施の形態３のコネクタアダプタ３００を示す図であり、（Ａ）は上面側を示す斜視図、（Ｂ）は底面側を示す斜視図、（Ｃ）は正面図、（Ｄ）は側面図である。
【図７】（Ａ）は、コネクタアダプタ３００の一部を拡大して示す上面側の斜視図であり、（Ｂ）はコネクタアダプタ３００の一部を拡大して示す底面側の斜視図であり、（Ｃ）は端子３２０を拡大して示す側面図である。
【図８】コネクタアダプタ３００をコネクタ１００Ａと１００Ｂの間に実装した状態を示す正面図である。
【図９】図８に示すコネクタアダプタ３００の一部を拡大して示す斜視図である。
【発明を実施するための形態】
【００１４】
以下、本発明のコネクタ及びコネクタアダプタを適用した実施の形態について説明する。
【００１５】
＜実施の形態１＞
図１は、実施の形態１のコネクタを示す図であり、（Ａ）は上面側を示す斜視図、（Ｂ）は底面側を示す斜視図、（Ｃ）は正面図、（Ｄ）は側面図である。
【００１６】
実施の形態１のコネクタ１００は、筐体１１０、第１端子１２０、第２端子１３０、及び固定具１４０を含む。
【００１７】
筐体１１０は、例えば、樹脂等の絶縁材料で一体成形されており、複数の第１溝１１１、複数の第２溝１１２、及び案内溝１１３を有する。
【００１８】
各第１溝１１１は、互いに並行になるように形成されている。同様に、各第２溝１１２は、互いに並行になるように形成されている。
【００１９】
第１溝１１１と、第２溝１１２とは、互いの長手方向（図１（Ｃ）で縦方向）が一致するように、同一数形成されている。第１溝１１１は、後述する基板１５０を保持する位置よりも（図１（Ａ）において）上側に形成されており、第２溝１１２は、後述する基板１５０を保持する位置よりも（図１（Ａ）において）下側に形成されている。
【００２０】
案内溝１１３は、複数の第１溝１１１と複数の第２溝１１２との間を分断するように、第１溝１１１及び第２溝１１２の長手方向と直行する方向に形成されており、図示しない基板を内部に案内して保持するための溝である。案内溝１１３の幅（図１（Ｃ）で縦方向の長さ）は、図示しない基板の厚さに合わせて設定されている。
【００２１】
このような筐体１１０を含むコネクタ１００は、複数用いられ、互いに重ねられるように配列される。筐体１１０の上面１１４及び底面１１５は、他のコネクタ１００（図示せず）に当接する第１当接面及び第２当接面である。
【００２２】
第１端子１２０は、第１溝１１１の内部に嵌着されている。図１（Ｃ）には、２３個の第１端子１２０を示す。
【００２３】
第２端子１３０は、第２溝１１２の内部に嵌着されている。図１（Ｃ）には、２３個の第２端子１３０を示す。
【００２４】
第１端子１２０及び第２端子１３０は、案内溝１１３に案内される図示しない基板の配線に接続されるとともに、複数のコネクタ１００が重ねられるように配列された際に、第１端子１２０は、一段上のコネクタ１００の第２端子１３０に接続され、第２端子１３０は、一段下のコネクタ１００の第１端子１２０と接続されるように構成されている。
【００２５】
このため、第１端子１２０は、図１（Ｄ）に示すように、筐体１１０の上面１１４から少し突出している。
【００２６】
固定具１４０は、案内溝１３０に案内された基板（図示せず）の上面を厚さ方向に押圧することにより、基板（図示せず）を固定するための部材である。固定具１４０は、案内溝１１３の位置との関係で、基板（図示せず）の上面を厚さ方向に押圧できるように位置決めされている。
【００２７】
図２（Ａ）は、コネクタ１００の一部を拡大して示す上面側の斜視図であり、（Ｂ）はコネクタ１００の一部を拡大して示す底面側の斜視図であり、（Ｃ）は第１端子１２０及び第２端子１３０を拡大して示す側面図である。
【００２８】
図２（Ａ）、（Ｂ）に示すコネクタ１００は、図１に示した２３個のうちの４個の第１端子１２０及び第２端子１３０に相当する部分である。図２では、コネクタ１００の案内溝１１３に基板１５０が挿入されている。基板１５０は、案内溝１１３に挿入された状態で、固定具１４０によって固定されている。なお、説明の便宜上、図２に示す基板１５０は、例えばＰＣＢ（Printed Circuit Board）基板等で構成される基板の一部分である。
【００２９】
以下、コネクタ１００の案内溝１１３に基板１５０が挿入された状態での接続関係について説明する。
【００３０】
第１端子１２０は、筐体１１０の上面１１４側に位置するリード１２１と、基板１５０の表面側に接続されるリード１２２を有する。リード１２１、１２２は、第１端子１２０の両端に形成されており、第１端子１２０の一部分である。リード１２１は、筐体１１０の上面１１４から少しだけ突出しており、リード１２２は、基板１５０の上面に形成されたパッド１５１に当接する。
【００３１】
第２端子１３０は、筐体１１０の底面１１５側に位置するリード１３１と、基板１５０の裏面側に接続されるリード１３２を有する。リード１３１、１３２は、第２端子１３０の両端に形成されており、第２端子１３０の一部分である。リード１３１は、筐体１１０の底面１１５から少しオフセットした位置に存在しており、リード１３２は、基板１５０の裏面に形成されたパッド１５２に当接する。なお、パッド１５１とパッド１５２は、図示しないビアによって接続されている。これは、すべての第１端子１２０及び第２端子１３０に接続されるパッド１５１及びパッド１５２について同様である。
【００３２】
なお、リード１３１の底面１１５からのオフセット量（高さ方向の寸法）は、リード１２１の上面１１４からの突出量（高さ方向の寸法）よりも小さく設定されている。
【００３３】
リード１２２とパッド１５１、及び、リード１３２とパッド１５２は、例えば、半田によって接合される。
【００３４】
このように、コネクタ１００は、案内溝１１３に基板１５０を挿入するだけで簡単に固定でき、基板１５０のパッド１５１、１５２と第１端子１２０、第２端子１３０との電気的接続も容易に確保することができる。
【００３５】
これは、従来のコネクタのように、基板とコネクタの間にソケットを用いて電気的な接続を確保していた場合に比べて、接続が格段に容易である。
【００３６】
図２（Ｃ）に示す第１端子１２０及び第２端子１３０は、第１溝１１１及び第２溝１１２内にそれぞれ嵌着された状態を抜き出して示したものである。
【００３７】
第１端子１２０は、一端にあるリード１２１と他端にあるリード１２２との間で折り曲げられた板ばね状の部材である。このため、リード１２１の部分は、上から押圧されると、板ばねが撓むように構成されている。第１端子１２０のばね定数は、第１端子１２０が筐体１１０の上方から押圧されて撓んでも、リード１２１が筐体１１０の上面１１４よりも突出し、その突出量（高さ方向の寸法）は、リード１３１の底面１１５からのオフセット量（高さ方向の寸法）よりも大きくなるように設定されている。これは、コネクタ１００を重ねたときに、上側のコネクタ１００のリード１３１と、下側のコネクタ１００のリード１２１との接続を確保するためである。なお、第２端子１３０は、略Ｌ字型の端子である。
【００３８】
次に、複数のコネクタ１００を実装した状態について説明する。
【００３９】
図３は、コネクタ１００の実装状態を示す図であり、（Ａ）は側面図、（Ｂ）は上面側の斜視図、（Ｃ）は（Ａ）から第１端子１２０と第２端子１３０だけを抜き出して示す図である。
【００４０】
図３（Ａ）に示すように、２つのコネクタ１００Ａ、１００Ｂは、モジュール型装置１６０Ａ、１６０Ｂの基板１５０Ａ、１５０Ｂに取り付けられる。コネクタ１００Ａ、１００Ｂとモジュール型装置１６０Ａ、１６０Ｂとは、同一の高さに設定されている。なお、コネクタ１００Ａ、１００Ｂは、図１及び図２に示したコネクタ１００と同一である。
【００４１】
モジュール型装置１６０Ａ、１６０Ｂは、例えば、通信装置や情報処理装置等であり、筐体１６１を有する。図３（Ａ）に示す２つのモジュール型装置１６０Ａ、１６０Ｂは、筐体１６１に形成された接合部によって互いに接合されている。
【００４２】
コネクタ１００Ａ、１００Ｂは、それぞれの案内溝１１３に基板１５０Ａ、１５０Ｂが挿入されており、固定具１４０によって固定されている。
【００４３】
図３（Ｂ）は、図３（Ａ）に示す実装状態のコネクタ１００Ａ、１００Ｂと基板１５０Ａ、１５０Ｂだけを抜き出して示す斜視図である。
【００４４】
また、図３（Ｃ）に示すように、図３（Ａ）に示す実装状態におけるコネクタ１００Ａの第２端子１３０Ａと、コネクタ１００Ｂの第１端子１２０Ｂは、コネクタ１００Ｂの第１端子１２０Ｂのリード１２１に、コネクタ１００Ａの第２端子１３０Ａのリード１３１が当接している。これは、コネクタ１００Ａ、１００Ｂの上下にさらに別のコネクタ１００（図示せず）を重ねた場合も同様である。
【００４５】
第１端子１２０Ａ、１２０Ｂは、筐体１１０の上面１１４から突出した板ばね状の部材であるため、コネクタ１００Ａの筐体１１０の底面１１５と、コネクタ１００Ｂの筐体１１０の上面１１４が当接した状態でコネクタ１００Ａ、１００Ｂが実装されると、コネクタ１１０Ｂの第１端子１２０Ｂは、板ばねが縮むように撓み、第１端子１２０Ｂのリード１２１と、コネクタ１００Ａの第２端子１３０Ａのリード１３１が密着する。
【００４６】
これにより、コネクタ１００Ａの第２端子１３０Ａと、コネクタ１００Ｂの第１端子１２０Ａの電気的接続を確保することができる。これは、図１（Ａ）、（Ｂ）に示した２３個の第１端子１２０及び第２端子１３０のすべてについて同様である。
【００４７】
コネクタ１００Ａ、１００Ｂは、図３（Ａ）〜（Ｃ）に示すように重ねられて互いに電気的接続が確保される。例えば、コネクタ１００Ａに２３対含まれる第１端子１２０Ａ及び第２端子１３０Ａの各対を基板１５０Ａの信号ライン、電源ライン、又はグランドラインに接続する。また、コネクタ１００Ｂに２３対含まれる第１端子１２０Ｂ及び第２端子１３０Ｂの各対を基板１５０Ｂの信号ライン、電源ライン、又はグランドラインに接続する。そして、第２端子１３０Ａと第１端子１２０Ｂを同一のライン（信号ライン、電源ライン、又はグランドラインのいずれか）毎に接続すれば、複数のモジュール型装置１６０の信号ライン、電源ライン、又はグランドラインを縦に接続することができる。
【００４８】
次に、図４を用いて、コネクタ１００を含むモジュール型装置１６０の実装について説明する。
【００４９】
図４は、コネクタ１００を含むモジュール型装置１６０の実装方法を説明するための図であり、（Ａ）はモジュール型装置１６０の接合構造を示す図、（Ｂ）はコネクタ１００を含むモジュール型装置１６０の実装方法を示す側面図である。
【００５０】
図４（Ａ）、（Ｂ）に示すように、モジュール型装置１６０Ａ、１６０Ｂは、筐体１６１Ａ、１６１Ｂを有する。筐体１６１Ａ、１６１Ｂは、内部で基板１５０Ａ、１５０Ｂを保持しており、基板１５０Ａ、１５０Ｂの一部（図４（Ｂ）中で実線で示す部分）は筐体１６１Ａ、１６１Ｂから突出している。すなわち、図４（Ｂ）に破線で示す基板１５０Ａ、１５０Ｂの一部分は、筐体１６１Ａ、１６１Ｂの内部に位置している。
【００５１】
筐体１６１Ａ、１６１Ｂは、それぞれ、上面側にガイドレール１６２Ａ、１６２Ｂを有し、底面側に溝１６３Ａ、１６３Ｂを有する。ガイドレール１６２Ｂと溝１６３Ａは、係合可能に構成されておいる。また、モジュール型装置１６０Ａのガイドレール１６２Ａは、図示しないさらに上段のモジュール型装置１６０（図示せず）の溝１６３（図示せず）に係合可能であり、溝１６３Ｂは、さらに下段のモジュール型装置１６０（図示せず）のガイドレール１６２（図示せず）に係合可能である。
【００５２】
このため、図４（Ｂ）に示すように、コネクタ１００Ａ、１００Ｂの高さＨ１を筐体１６１Ａ、１６１Ｂの高さＨ２と同一に設定し、溝１６２Ａにガイドレール１６３Ｂを契合させながら、モジュール型装置１６０Ａに対してモジュール型装置１６０Ｂを図中右側から左側に向けてスライドさせれば、モジュール型装置１６０Ａ、１６０Ｂを係合させるのと同時に、コネクタ１００Ａ、１００Ｂを図３（Ｂ）に示すように接続することができる。
【００５３】
このとき、モジュール型装置１６０Ｂの基板１５０Ｂに取り付けられたコネクタ１００Ｂの第１端子１２０Ｂは、モジュール型装置１６０Ａの基板１５０Ａに取り付けられたコネクタ１００Ａの第２端子１３０Ａに当接するため、モジュール型装置１６０Ａにモジュール型装置１６０Ｂを接合させるだけで、コネクタ１００Ａと１００Ｂの間の電気的接続を容易に確保することができる。
【００５４】
従来のコネクタは、コネクタの高さ方向（図４（Ｂ）に示す高さＨ１の方向）にコネクタの接点を嵌め合うことによって電気的接続を確保していたが、上述のようにモジュール型装置１６０同士をスライドさせて接合する際に、同時にコネクタ１００同士の電気的接続も確保できるので、コネクタ１００同士の接合が非常に容易である。
【００５５】
以上、実施の形態１によれば、案内溝１１３に挿入するだけで基板１５０を簡単に固定でき、基板１５０のパッド１５１、１５２と第１端子１２０、第２端子１３０との電気的接続も容易に確保することができるコネクタ１００を提供することができる。
【００５６】
また、モジュール型装置１６０に実装した状態で、モジュール型装置１６０同士を接合する際に、各モジュール型装置１６０に接続されたコネクタ１００同士の間の電気的接続を容易に確保することのできるコネクタ１００を提供することができる。
【００５７】
なお、以上では、筐体１６１Ａ、１６１Ｂがガイドレール１６２Ａ、１６２Ｂと溝１６３Ａ、１６３Ｂを含む形態について説明したが、筐体１６１Ａ、１６１Ｂをスライドさせて係合させるための構造は、ガイドレール１６２Ａ、１６２Ｂと溝１６３Ａ、１６３Ｂに限られるものではない。
【００５８】
＜実施の形態２＞
実施の形態２のコネクタ２００は、第２端子の基板側のリードが基板の表面側に接続される点が実施の形態１のコネクタ１００と異なる。その他の構成は、実施の形態１のコネクタ１００と同一であるため、同一の構成要素には同一符号を付し、その説明を省略する。また、以下では、実施の形態１との相違点を中心に説明を行う。
【００５９】
図５（Ａ）は、コネクタ２００の一部を拡大して示す上面側の斜視図であり、（Ｂ）は第１端子１２０及び第２端子２３０を拡大して示す側面図である。
【００６０】
実施の形態２のコネクタ２００は、第２端子２３０の構造が異なるだけであるため、全体図は、図１と略同一である。
【００６１】
図５（Ａ）に示すように、第２端子２３０は、基板１５０に接続されるリード２３２が基板１５０の上面に配設されたパッド１５２に接続されている。第２端子２３０の他方のリード２３１は、筐体１１０の底面１１５側に配設されている。なお、リード２３１は、パッド１５２に半田等で接続される。
【００６２】
図５（Ｂ）に示すように、コネクタ２００は、第２端子２３０はＬ字型の端子であり、両端にリード２３１、２３２が形成されている。
【００６３】
このように、第２端子２３０のリード２３２が、基板１５０に対して第１端子１２０のリード１２２と同一面に接続されるコネクタ２００でも、実施の形態１と同様に、案内溝１１３に挿入するだけで基板１５０を簡単に固定でき、基板１５０のパッド１５１、１５２と第１端子１２０、第２端子１３０との電気的接続も容易に確保することができるコネクタ２００を提供することができる。
【００６４】
また、モジュール型装置１６０に実装した状態で、モジュール型装置１６０同士を接合する際に、各モジュール型装置１６０に接続されたコネクタ２００同士の間の電気的接続を容易に確保することのできるコネクタ２００を提供することができる。
【００６５】
＜実施の形態３＞
実施の形態３のコネクタアダプタ３００は、実施の形態１で図３に示したように、コネクタ１００Ａ、１００Ｂを重ねて用いる場合に、コネクタ１００Ａとコネクタ１００Ｂの間に挿入するためのアダプタとして機能するコネクタアダプタである。
【００６６】
以下の説明では、実施の形態１のコネクタ１００、又はコネクタ１００Ａ、１００Ｂを援用する。
【００６７】
また、以下の説明では、２つのコネクタを区別する場合には、コネクタ１００Ａ、１００Ｂと称し、特に区別することなく実施の形態１のコネクタ１００を表す場合は、単にコネクタ１００と称す。
【００６８】
図６は、実施の形態３のコネクタアダプタ３００を示す図であり、（Ａ）は上面側を示す斜視図、（Ｂ）は底面側を示す斜視図、（Ｃ）は正面図、（Ｄ）は側面図である。
【００６９】
実施の形態３のコネクタアダプタ３００は、筐体３１０、端子３２０、及び接続部３３０、３４０を含む。
【００７０】
筐体３１０は、例えば、樹脂等の絶縁材料で一体成形されており、端子３２０の各々を収納するための複数の溝３１１が形成されている。図６には２３個の端子３２０と２３本の溝３１１を示す。各溝３１１は、互いに並行になるように形成されている。
【００７１】
このような筐体３１０は、実施の形態１で図３に示したように、コネクタ１００Ａ、１００Ｂを重ねて用いる場合に、コネクタ１００Ａとコネクタ１００Ｂの間に挿入して用いられる。
【００７２】
筐体３１０の上面３１４及び底面３１５は、コネクタ１００Ａ、１００Ｂに当接する面である。上面３１４は、矩形状の筐体３１０の一方側（上端側）でコネクタ１００の底面１１５と当接する一方側当接面である。底面３１５は、矩形状の筐体３１０の他方側（下端側）でコネクタ１００の上面１１４と当接する他方側当接面である。
【００７３】
端子３２０は、溝３１１の内部に嵌着されている。図６（Ｃ）には、２３個の端子３２０を示す。
【００７４】
端子３２０は、上端側に形成されるリード３２１と、下端側に位置するリード３２２を有する。リード３２１は、実施の形態３のコネクタアダプタ３００が実施の形態１のコネクタ１００Ａ、１００Ｂの間に挿入された場合に、コネクタアダプタ３００の上側に位置するコネクタ１００のリード１３１と当接する。同様に、リード３２２は、コネクタアダプタ３００の下側に位置するコネクタ１００Ｂのリード１２１に当接する。
【００７５】
リード３２１は、実施の形態１のコネクタ１００のリード１２１と同様に、図６（Ｄ）に示すように、筐体３１０の上面３１４から少し突出している。また、リード３２２は、筐体３１０の底面３１５から少し引き込んだ位置に存在している。
【００７６】
接続部３３０は、コネクタアダプタ３００の上側に位置するコネクタ１００Ａと接続するために、筐体３１０の両側の側壁の上部側が突出した部分である。接続部３３０には、ネジ孔３３１が形成されている。
【００７７】
接続部３４０は、コネクタアダプタ３００の下側に位置するコネクタ１００Ｂと接続するために、筐体３１０の両側の側壁の下部側が突出した部分である。接続部３４０には、ネジ孔３４１が形成されている。
【００７８】
図７（Ａ）は、コネクタアダプタ３００の一部を拡大して示す上面側の斜視図であり、（Ｂ）はコネクタアダプタ３００の一部を拡大して示す底面側の斜視図であり、（Ｃ）は端子３２０を拡大して示す側面図である。
【００７９】
図７（Ａ）、（Ｂ）に示すコネクタアダプタ３００は、図６に示した２３個のうちの４個の端子３２０に相当する部分である。
【００８０】
図７（Ａ）に示すように、リード３２１は、筐体３１０の上面３１４から少し突出している。また、図７（Ｂ）に示すように、リード３２２は、筐体３１０の底面３１５から少し引き込んだ位置に存在している。
【００８１】
図７（Ｃ）に示すように、端子３２０は、筐体３１０の上面３１４側に位置するリード３２１と、筐体３１０の下面３１５側に位置するリード３２２と、接続部３２３を有する。リード３２１、３２２は、端子３２０の両端に形成されており、端子３２０の一部分である。接続部３２３は、リード３２１とリード３２２との間を接続する。
【００８２】
リード３２１の上面３１４からの突出量は、コネクタ１００のリード１３２の筐体１１０の底面１１５（図２（Ｂ）参照）からのオフセット量（高さ方向の寸法）よりも大きく設定されている。
【００８３】
リード３２２の底面３１５からのオフセット量（高さ方向の寸法）は、コネクタ１００のリード１２１の筐体１１０の上面１１４（図２（Ａ）参照）からの突出量（高さ方向の寸法）よりも小さく設定されている。
【００８４】
図７（Ｃ）に示す端子３２０は、溝３１１内に嵌着された状態を抜き出して示したものである。
【００８５】
端子３２０は、一端にあるリード３２１と他端にあるリード３２２との間が接続部３２３で接続された板ばね状の部材である。このため、リード３２１の部分は、上から押圧されると、板ばねが撓むように構成されている。端子３２０のばね定数は、端子３２０が筐体３１０の上方から押圧されて撓んでも、リード３２１が筐体３１０の上面３１４よりも突出し、その突出量（高さ方向の寸法）は、コネクタ１００のリード１３１の底面１１５からのオフセット量（高さ方向の寸法）よりも大きくなるように設定されている。これは、コネクタアダプタ３００をコネクタ１００の下に重ねて配設したときに、上側のコネクタ１００のリード１３１と、下側のコネクタアダプタ３００のリード３２１とを確実に接触させ、電気的接続を確保するためである。
【００８６】
次に、複数のコネクタ１００を実装した状態について説明する。
【００８７】
図８、図９は、コネクタアダプタ３００をコネクタ１００Ａと１００Ｂの間に実装した状態を示す図であり、図８は正面図、図９は図８に示すコネクタアダプタ３００の一部を拡大して示す斜視図である。図９に示すコネクタアダプタ３００の一部分は、図８に示す２３個の端子３２０のうちの４個の端子３２０に相当する部分である。
【００８８】
図８に示すコネクタ１００Ａ、１００Ｂは、それぞれ、コネクタアダプタ３００と接続するための接続部１７０Ａ、１７０Ｂ、１８０Ａ、１８０Ｂを備える。
【００８９】
接続部１７０Ａ、１７０Ｂは、それぞれ、コネクタ１００Ａ、１００Ｂの筐体１１０の側壁の上部側が突出した部分である。接続部１７０Ａ、１７０Ｂは、コネクタアダプタ３００の接続部３４０のネジ孔３４１と位置合わせされたネジ孔（図示せず）を有する。
【００９０】
図８では、コネクタアダプタ３００の接続部３４０のネジ孔３４１と接続部１７０Ｂのネジ孔にネジ４００を挿通してネジ締めすることにより、コネクタアダプタ３００とコネクタ１００Ｂが固定される。
【００９１】
接続部１８０Ａ、１８０Ｂは、それぞれ、コネクタ１００Ａ、１００Ｂの筐体１１０の側壁の下部側が突出した部分である。接続部１８０Ａ、１８０Ｂは、コネクタアダプタ３００の接続部３３０のネジ孔３３１と位置合わせされたネジ孔（図示せず）を有する。
【００９２】
図８では、コネクタアダプタ３００の接続部３３０のネジ孔３３１と接続部１８０Ａのネジ孔にネジ４００を挿通してネジ締めすることにより、コネクタアダプタ３００とコネクタ１００Ａが固定される。
【００９３】
図８に示すようにコネクタアダプタ３００とコネクタ１００Ａ、１００Ｂを固定すると、図９に示すように、コネクタアダプタ３００の端子３２０のリード３２１（図７（Ｃ）参照）は、コネクタ１００Ａの第２端子１３０のリード１３１（図２（Ｃ）参照）と接続される。また、コネクタアダプタ３００の端子３２０のリード３２２（図７（Ｃ）参照）は、コネクタ１００Ｂの第１端子１２０のリード１２１（図２（Ｃ）参照）と接続される。
【００９４】
このような実施の形態３のコネクタアダプタ３００は、実施の形態１のコネクタ１００と任意の組合せで接続することができ、複数のコネクタ１００同士の縦方向における第１端子１２０及び第２端子１３０の電気的接続を確保しつつ、コネクタ１００の高さ方向における位置を調整することができる。
【００９５】
このため、実施の形態３のコネクタアダプタ３００は、例えば、コネクタ１００Ａ、１００Ｂの高さ方向における位置を調整したいような場合に利用することができる。
【００９６】
なお、コネクタアダプタ３００の高さは、コネクタ１００Ａ、１００Ｂの間に実装する際に必要となる高さに合わせて設計すればよい。
【００９７】
また、以上では、接続部３３０、３４０、接続部１７０Ａ、１７０Ｂ、１８０Ａ、１８０Ｂを用いてコネクタアダプタ３００とコネクタ１００Ａ、１００Ｂをねじ止めする形態について説明したが、コネクタアダプタ３００とコネクタ１００Ａ、１００Ｂの接続手段は、上述のものに限られず、例えば、レールを設けて接続するようにしてもよい。
【００９８】
以上、本発明の例示的な実施の形態のコネクタについて説明したが、本発明は、具体的に開示された実施の形態に限定されるものではなく、特許請求の範囲から逸脱することなく、種々の変形や変更が可能である。
【符号の説明】
【００９９】
１００  コネクタ
１１０  筐体
１１１  第１溝
１１２  第２溝
１１３  案内溝
１１４  上面
１１５  底面
１２０  第１端子
１３０  第２端子
１４０  固定具
１５０Ａ、１５０Ｂ  基板
１５１、１５２  パッド
１６０Ａ、１６０Ｂ  モジュール型装置
１６１Ａ、１６１Ｂ  筐体
１６２Ａ、１６２Ｂ  ガイドレール
１６３Ａ、１６３Ｂ  溝
１７０Ａ、１７０Ｂ、１８０Ａ、１８０Ｂ  接続部
２００  コネクタ
２３０  第２端子
２３１、２３２  リード
３００  コネクタアダプタ
３１０  筐体
３１１  溝
３１４  上面
３１５  底面
３２１  リード
３２２  リード
３２０  端子
３３０、３４０  接続部
【図２】
0005642516.tif 000002
【図４】
0005642516.tif 000003
【図５】
0005642516.tif 000004
【図７】
0005642516.tif 000005
【図８】
0005642516.tif 000006
【図９】
0005642516.tif 000007
【図１】
0005642516.tif 000008
【図３】
0005642516.tif 000009
【図６】
0005642516.tif 000010